(57)【特許請求の範囲】
【請求項１】
入出金に係る現金処理を行なう現金処理装置において、
媒体を収納する複数の媒体収納部と、
前記複数の媒体収納部のいずれかとの搬送接続し、それぞれ独立して搬送動作を行なう複数の搬送部と、
前記複数の搬送部のうちいずれかの搬送部で搬送障害が検知されると、その搬送部を停止し、他の搬送部を動作させて、当該他の搬送部に残留している、障害要因である媒体に後続して搬送される後続媒体を退避させる搬送制御部と、
入出金に係る媒体を一時的に保留する一時保留部と
を備え、
前記複数の媒体収納部が、
分離機能及び集積機能を有する複数の第１の媒体収納部と、
集積機能を有する１又は複数の第２の媒体収納部と
を有し、
前記複数の搬送部が、
入出金部から媒体の搬送、又は当該入出金部に媒体を搬送する第１の搬送部と、
前記複数の第１の媒体収納部から媒体の搬送、又は前記複数の第１の媒体収納部に媒体を搬送する第２の搬送部と、
前記第１の搬送部と前記第２の搬送部との間に設けられ、前記一時保留部と前記１又は複数の第２の媒体収納部と搬送接続する第３の搬送部と
を有し、
前記第３の搬送部上に通過する媒体を認識する認識部を更に備え、
前記搬送制御部が、
前記認識部による認識結果に基づいて、前記第２の搬送部で搬送障害が検知された後、前記一時保留部及び前記第２の搬送部を停止させ、
前記各第２の媒体収納部への集積が可能であり、前記第３の搬送部に前記後続媒体があり、かつ、前記一時保留部から前記第３の搬送部への接続切替が可能である場合に、前記第３の搬送部に存在する前記後続媒体の集積先を前記第２の媒体収納部に切り替え、
前記第３の搬送部の前記後続媒体を前記第２の媒体収納部に集積させる
ことを特徴とする現金処理装置。
【請求項２】
入出金に係る現金処理を行なう現金処理装置において、
媒体を収納する複数の媒体収納部と、
前記複数の媒体収納部のいずれかとの搬送接続し、それぞれ独立して搬送動作を行なう複数の搬送部と、
前記複数の搬送部のうちいずれかの搬送部で搬送障害が検知されると、その搬送部を停止し、他の搬送部を動作させて、当該他の搬送部に残留している、障害要因である媒体に後続して搬送される後続媒体を退避させる搬送制御部と、
入出金に係る媒体を一時的に保留する一時保留部と
を備え、
前記複数の媒体収納部が、
分離機能及び集積機能を有する複数の第１の媒体収納部と、
集積機能を有する１又は複数の第２の媒体収納部と
を有し、
前記複数の搬送部が、
入出金部から媒体の搬送、又は当該入出金部に媒体を搬送する第１の搬送部と、
前記複数の第１の媒体収納部から媒体の搬送、又は前記複数の第１の媒体収納部に媒体を搬送する第２の搬送部と、
前記第１の搬送部と前記第２の搬送部との間に設けられ、前記一時保留部と前記１又は複数の第２の媒体収納部と搬送接続する第３の搬送部と
を有し、
前記第３の搬送部上に通過する媒体を認識する認識部を更に備え、
前記搬送制御部が、
前記認識部による認識結果に基づいて、前記第３の搬送部で搬送障害が検知された後、前記一時保留部及び前記第３の搬送部を停止させ、
前記第２の搬送部に前記後続媒体を、前記複数の第１の媒体収納部のそれぞれと、前記第２の搬送部との間の接続位置であるそれぞれの搬送接続位置に待機させる
ことを特徴とする現金処理装置。
【請求項３】
入出金に係る現金処理を行なう現金処理装置において、
媒体を収納する複数の媒体収納部と、
前記複数の媒体収納部のいずれかとの搬送接続し、それぞれ独立して搬送動作を行なう複数の搬送部と、
前記複数の搬送部のうちいずれかの搬送部で搬送障害が検知されると、その搬送部を停止し、他の搬送部を動作させて、当該他の搬送部に残留している、障害要因である媒体に後続して搬送される後続媒体を退避させる搬送制御部と、
入出金に係る媒体を一時的に保留する一時保留部と
を備え、
前記複数の媒体収納部が、
分離機能及び集積機能を有する複数の第１の媒体収納部と、
集積機能を有する１又は複数の第２の媒体収納部と
を有し、
前記複数の搬送部が、
入出金部から媒体の搬送、又は当該入出金部に媒体を搬送する第１の搬送部と、
前記複数の第１の媒体収納部から媒体の搬送、又は前記複数の第１の媒体収納部に媒体を搬送する第２の搬送部と、
前記第１の搬送部と前記第２の搬送部との間に設けられ、前記一時保留部と前記１又は複数の第２の媒体収納部と搬送接続する第３の搬送部と
を有し、
前記第３の搬送部上に通過する媒体を認識する認識部を更に備え、
前記搬送制御部が、
前記認識部により異常検知されると、前記一時保留部及び前記第３の搬送部を停止させ、
前記各第１の媒体収納部から繰り出されて前記第２の搬送部上の前記後続媒体を、繰り出し元の前記各第１の媒体収納部に集積させる
ことを特徴とする現金処理装置。
【発明の詳細な説明】
【技術分野】
【０００１】
本発明は、現金処理装置に関し、例えば銀行等の金融機関の店舗や駅や空港等に設置されるＡＴＭ（Automatic  Teller  Machine）等の現金処理装置に適用し得るものである。
【背景技術】
【０００２】
例えば、ＡＴＭ等の現金処理装置では、現金（特に紙幣）を入金する場合、挿入された媒体を１枚ずつ分離し、認識部が媒体の種類を認識すると共に計数処理を行ない、目的の集積先であるカセット（媒体収納部）に媒体を集積している。また、現金を出金する場合、媒体収納部から媒体を１枚ずつ分離し、認識部が媒体の種類を認識すると共に計数処理を行ない、出金口に媒体を排出している（特許文献１参照）。
【０００３】
従来の現金処理装置の搬送機構は、１個の駆動部（例えばモータなど）が全ての搬送路のローラ等の搬送部材を駆動して媒体を搬送している。すなわち、複数のカセットに媒体を搬送する搬送路は１個であり、１個の駆動部が１個の搬送路を駆動している。
【０００４】
そのため、例えば、搬送路において搬送ジャムが生じた場合、ジャム要因である媒体を除去するため、その時点で取引を終了している。
【先行技術文献】
【特許文献】
【０００５】
【特許文献１】特開２０１２−２３８３４０号公報
【発明の概要】
【発明が解決しようとする課題】
【０００６】
しかしながら、一般的に現金処理装置内では、複数枚の媒体が、１枚ずつ連続的に搬送されるため、搬送ジャムが生じた場合、複数枚の媒体が搬送路に残留することになる。つまり、ジャム要因となる媒体が搬送路上で紙詰まり等が生じても、これに後続する媒体（後続媒体）も搬送路上に残留することになる。
【０００７】
そのため、搬送路の自動復旧が有効でない場合に、作業員が手作業により媒体を除去することになり、搬送路から除去した媒体の数え間違い（例えば、現金処理装置で計数した媒体枚数と、手作業により計数した枚数との差異が生じ）が生じたり、媒体の紛失等が生じたりするという問題が生じ得る。また、手作業により媒体を数えるため、現金処理装置の復旧時間の長時間化にもつながるという問題も生じ得る。
【０００８】
そこで、本発明は、上記課題に鑑み、搬送路上に残留した後続媒体を除去しやすくするように搬送制御を行う現金処理装置を提供しようとするものである。
【課題を解決するための手段】
【０００９】
かかる課題を解決するために、第１の本発明に係る現金処理装置は、入出金に係る現金処理を行なう現金処理装置において、（１）媒体を収納する複数の媒体収納部と、（２）複数の媒体収納部のいずれかとの搬送接続し、それぞれ独立して搬送動作を行なう複数の搬送部と、（３）複数の搬送部のうちいずれかの搬送部で搬送障害が検知されると、その搬送部を停止し、他の搬送部を動作させて、当該他の搬送部に残留している、障害要因である媒体に後続して搬送される後続媒体を退避させる搬送制御部と、（４）入出金に係る媒体を一時的に保留する一時保留部とを備え、（５）複数の媒体収納部が、分離機能及び集積機能を有する複数の第１の媒体収納部と、集積機能を有する１又は複数の第２の媒体収納部とを有し、複数の搬送部が、入出金部から媒体の搬送、又は当該入出金部に媒体を搬送する第１の搬送部と、複数の第１の媒体収納部から媒体の搬送、又は複数の第１の媒体収納部に媒体を搬送する第２の搬送部と、第１の搬送部と第２の搬送部との間に設けられ、一時保留部と１又は複数の第２の媒体収納部と搬送接続する第３の搬送部とを有し、（６）第３の搬送部上に通過する媒体を認識する認識部を更に備え、（７）搬送制御部が、認識部による認識結果に基づいて、第２の搬送部で搬送障害が検知された後、一時保留部及び第２の搬送部を停止させ、各第２の媒体収納部への集積が可能であり、第３の搬送部に後続媒体があり、かつ、一時保留部から第３の搬送部への接続切替が可能である場合に、第３の搬送部に存在する後続媒体の集積先を第２の媒体収納部に切り替え、第３の搬送部の後続媒体を第２の媒体収納部に集積させることを特徴とする。
第２の本発明に係る現金処理装置は、入出金に係る現金処理を行なう現金処理装置において、（１）媒体を収納する複数の媒体収納部と、（２）複数の媒体収納部のいずれかとの搬送接続し、それぞれ独立して搬送動作を行なう複数の搬送部と、（３）複数の搬送部のうちいずれかの搬送部で搬送障害が検知されると、その搬送部を停止し、他の搬送部を動作させて、当該他の搬送部に残留している、障害要因である媒体に後続して搬送される後続媒体を退避させる搬送制御部と、（４）入出金に係る媒体を一時的に保留する一時保留部とを備え、（５）複数の媒体収納部が、分離機能及び集積機能を有する複数の第１の媒体収納部と、集積機能を有する１又は複数の第２の媒体収納部とを有し、複数の搬送部が、入出金部から媒体の搬送、又は当該入出金部に媒体を搬送する第１の搬送部と、複数の第１の媒体収納部から媒体の搬送、又は複数の第１の媒体収納部に媒体を搬送する第２の搬送部と、第１の搬送部と第２の搬送部との間に設けられ、一時保留部と１又は複数の第２の媒体収納部と搬送接続する第３の搬送部とを有し、（６）第３の搬送部上に通過する媒体を認識する認識部を更に備え、（７）搬送制御部が、認識部による認識結果に基づいて、第３の搬送部で搬送障害が検知された後、一時保留部及び第３の搬送部を停止させ、第２の搬送部に後続媒体を、複数の第１の媒体収納部のそれぞれと、第２の搬送部との間の接続位置であるそれぞれの搬送接続位置に待機させることを特徴とする。
第３の本発明に係る現金処理装置は、入出金に係る現金処理を行なう現金処理装置において、（１）媒体を収納する複数の媒体収納部と、（２）複数の媒体収納部のいずれかとの搬送接続し、それぞれ独立して搬送動作を行なう複数の搬送部と、（３）複数の搬送部のうちいずれかの搬送部で搬送障害が検知されると、その搬送部を停止し、他の搬送部を動作させて、当該他の搬送部に残留している、障害要因である媒体に後続して搬送される後続媒体を退避させる搬送制御部と、（４）入出金に係る媒体を一時的に保留する一時保留部とを備え、（５）複数の媒体収納部が、分離機能及び集積機能を有する複数の第１の媒体収納部と、集積機能を有する１又は複数の第２の媒体収納部とを有し、複数の搬送部が、入出金部から媒体の搬送、又は当該入出金部に媒体を搬送する第１の搬送部と、複数の第１の媒体収納部から媒体の搬送、又は複数の第１の媒体収納部に媒体を搬送する第２の搬送部と、第１の搬送部と第２の搬送部との間に設けられ、一時保留部と１又は複数の第２の媒体収納部と搬送接続する第３の搬送部とを有し、（６）第３の搬送部上に通過する媒体を認識する認識部を更に備え、（７）搬送制御部が、認識部により異常検知されると、一時保留部及び第３の搬送部を停止させ、各第１の媒体収納部から繰り出されて第２の搬送部上の後続媒体を、繰り出し元の各第１の媒体収納部に集積させることを特徴とする。
【発明の効果】
【００１０】
本発明によれば、搬送路上に残留した後続媒体を除去しやすくするように搬送できる。また、媒体除去に係る復旧時間の短縮化及び取引を完了させることもできる。
【図面の簡単な説明】
【００１１】
【図１】第１の実施形態に係るＡＴＭ内の搬送路を示す構成図である。
【図２】第１の実施形態に係るＡＴＭ内の搬送路を簡略化した模式図である。
【図３】第１の実施形態に係るＡＴＭの駆動制御系の構成を示すブロック図である。
【図４】第１の実施形態に係る第２の搬送路上で搬送ジャムが発生した場合の搬送処理の動作を示すフローチャートである。
【図５】第１の実施形態に係る第２の搬送路上で搬送ジャムが発生した場合の搬送動作を説明する説明図である。
【図６】第１の実施形態に係る第３の搬送路上で搬送ジャムが発生した場合の搬送処理の動作を示すフローチャートである。
【図７】第１の実施形態に係る第３の搬送路上で搬送ジャムが発生した場合の搬送動作を説明する説明図である。
【図８】第２の実施形態に係る第３の搬送路上で搬送ジャムが発生した場合の搬送処理の動作を示すフローチャートである。
【図９】第２の実施形態に係る第３の搬送路上で搬送ジャムが発生した場合の搬送動作を説明する説明図である。
【発明を実施するための形態】
【００１２】
（Ａ）第１の実施形態
以下では、本発明に係る現金処理装置の第１の実施形態を、図面を参照しながら詳細に説明する。
【００１３】
第１の実施形態では、金融機関の店舗等に設置されるＡＴＭに本発明を適用する場合を例示する。なお、本発明は、ＡＴＭに限定されない。例えば、小売店やショッピングモールなどに設けられる現金処理装置等にも適用できる。
【００１４】
（Ａ−１）第１の実施形態の構成
図１は、第１の実施形態に係るＡＴＭ内の搬送路を示す構成図である。図２は、第１の実施形態に係るＡＴＭ内の搬送路を簡略化した模式図である。
【００１５】
図１において、第１の実施形態のＡＴＭ１は、入出金部１１、一時保留部１２、偽券庫１３、認識部１４、第１の搬送路２１、第２の搬送路２２、第３の搬送路２３、搬送切替部１５−１〜１５−８、集積部３０を有する。
【００１６】
また、集積部３０は、媒体収納部としての４個の紙幣カセット３１−１〜３１−４、入金専用紙幣カセット３２、リジェクト部３３を有する。
【００１７】
なお、図１に記載する円は、それぞれの搬送路等に設けられた搬送路ローラを示している。図２では、説明を容易にするために、搬送ローラの記載を省略している。
【００１８】
入出金部１１は、挿入された紙幣を受け入れたり、紙幣を排出したりするものである。入出金部１１は、図示しない入出金口を有しており、利用者により挿入された紙幣を第１の搬送路２１に与えたり、後述する第３の搬送路２３から搬送された紙幣を前記入出金口に排出したりする。
【００１９】
第１の搬送路２１は、入出金部１１と第３の搬送路２３との間で紙幣を搬送する搬送路である。第１の搬送路２１は、図２の細い実線で示すものである。
【００２０】
第１の搬送路２１は、入出金部１１に収められた紙幣を１枚ずつ分離する分離機能を有しており、分離した紙幣を第３の搬送路２３に向けて搬送する入金用搬送路２１−２と、第３の搬送路２３から出金すべき紙幣を入出金部１１に搬送して集積する集積機能を有する出金用搬送路２１−１とを有する。なお、入金用搬送路２１−２は、入出金部１１から搬送切替部１５−１に向けた方向に媒体を搬送する。また、出金用搬送路２１−１は、搬送切替部１５−１から入出金部１１に向けた方向に媒体を搬送する。
【００２１】
入金用搬送路２１−２と出金用搬送路２１−１と第３の搬送路２３との境界には、紙幣の搬送方向に応じて、入金用搬送路２１−２と出金用搬送路２１−１とを切り替える搬送切替部１５−１が設けられている。搬送切替部１５−１は、紙幣の搬送路を切り替えるブレードを適用できる。
【００２２】
第３の搬送路２３は、図２の太線の点線で示すものである。第３の搬送路２３は、第１の搬送路２１と、入金専用紙幣カセット３２と、リジェクト部３３と、一時保留部１２との間で紙幣を搬送する搬送路である。第３の搬送路２３は、双方向で紙幣を搬送可能なものである。
【００２３】
第３の搬送路２３上には、認識部１４が設けられている。
【００２４】
認識部１４は、通過する紙幣を計数すると共に、紙幣の金種や紙幣の真偽や紙幣の汚損判定等を行なう。
【００２５】
第３の搬送路２３と、第１の搬送路２１と、リジェクト部３３との境界には、搬送切替部１５−２が設けられている。また、第３の搬送路２３と、入金専用紙幣カセット３２との境界には、搬送切替部１５−３が設けられている。さらに、第３の搬送路２３と、一時保留部１２との境界には、搬送切替部１５−４が設けられている。
【００２６】
第２の搬送路２２は、図２の太線の実線で示すものである。第２の搬送路２２は、第３の搬送路２３と、各紙幣カセット３１−１〜３１−４と、偽券庫１３との間で紙幣を搬送する搬送路である。第２の搬送路２２は、双方向で紙幣を搬送可能なものである。
【００２７】
第２の搬送路２２と、第３の搬送路２３と、紙幣カセット３１−４との間の境界に搬送切替部１５−５が設けられている。第２の搬送路２２と、紙幣カセット３１−３との間の境界に搬送切替部１５−６が設けられている。第２の搬送路２２と、紙幣カセット３１−２との間の境界に搬送切替部１５−７が設けられている。第２の搬送路２２と、偽券庫１３と、紙幣カセット３１−１との間の境界に搬送切替部１５−８が設けられている。
【００２８】
一時保留部１２は、入金された紙幣や出金すべき紙幣を一時的に保留するものである。一時保留部１２は、例えばテープエスクロ方式の一時保留部を適用できる。
【００２９】
ここで、入金時と出金時の一時保留部１２の動作を簡単に説明する。
【００３０】
入金時に、一時保留部１２は、入出金部１１に入金されて、第３の搬送路２３により搬送された紙幣を一時的に保留する。そして、入金金額確定後に、一時保留部１２は、一時的に保留した紙幣を１枚ずつ分離し、その分離した紙幣を、搬送切替部１５−４に送り出す。なお、紙幣は、認識部１４による認識結果に応じて、対応する金種の紙幣カセット３１−１〜３１−４に向けて搬送される。なお、認識部１４が、出金等に使用できないよう紙幣（例えば、正常紙幣であるが、汚損等により、リサイクル不可と判断した紙幣等）は、入金専用カセット３２やリジェクト部３３に搬送される。
【００３１】
偽券庫１３は、認識部１４により偽券判定された媒体を保留するものである。偽券庫１３は、第２の搬送路２２から搬送された媒体を集積する集積機能を有する。
【００３２】
紙幣カセット３１−１〜３１−４はそれぞれ、媒体である紙幣を収納する媒体収納カセットであり、分離機能及び集積機能を有する。例えば、紙幣カセット３１−１〜３１−４は、入金された紙幣を収納すると共に、その後の出金処理で収納している紙幣を出金紙幣として繰り出すいわゆる還流型紙幣カセットを適用できる。紙幣カセット３１−１〜３１−４はそれぞれ、収納する紙幣の金種が予め決定されている。
【００３３】
入金専用紙幣カセット３２は、媒体である紙幣を収納する媒体収納カセットであり、集積機能を有する。入金専用紙幣カセット３２は、分離機能を有しておらず、紙幣の集積のみを行う。また、入金専用紙幣カセット３２は、紙幣の金種に拘わらず、複数の金種の紙幣を収納する。なお、入金専用紙幣カセット３２は、紙幣カセット３１−１〜３１−４と同様に、集積機能及び分離機能を有するものであり、このような集積機能及び分離機能を有する紙幣カセットを入金専用紙幣カセットとして利用するようにしてもよい。
【００３４】
リジェクト部３３は、認識部１４の認識結果に応じて、例えば、偽券、汚損紙幣等のようにリジェクト判定された紙幣を収納するものである。
【００３５】
図３は、第１の実施形態に係るＡＴＭ１の駆動制御系の構成を示すブロック図である。
【００３６】
図３において、ＡＴＭ１は、制御部１０、第１の搬送駆動部５１、第２の搬送駆動部５２、第３の搬送駆動部５３、センサ群５４及び５５、認識部１４を有する。
【００３７】
制御部１０は、ＡＴＭ１による実行される処理を司るものである。制御部１０のハードウェア構成は図示しないが、例えば、ＣＰＵ、ＲＯＭ、ＲＡＭ、ＥＥＰＲＯＭ、入出力インタフェース部等を有しており、ＣＰＵが、ＲＯＭに格納される処理プログラム（例えば、搬送制御プログラムなど）を実行することにより、ＡＴＭ１の各種機能（例えば、搬送制御機能など）が実現される。なお、処理プログラムがインストールされることにより構築されるようにしてもよい。
【００３８】
制御部１０は、主として、取引処理部１０１、搬送制御部１０２を有する。
【００３９】
取引処理部１０１は、入金処理や出金処理等の取引処理を行なうものである。
【００４０】
搬送制御部１０２は、取引処理部１０１により実行される取引処理に応じて、搬送機構の動作を制御するものである。
【００４１】
第１の搬送駆動部５１は、制御部１０による制御の下、第１の搬送路２１を駆動するものである。
【００４２】
第２の搬送駆動部５２は、制御部１０による制御の下、第２の搬送路２２を駆動するものである。
【００４３】
第３の搬送駆動部５３は、制御部１０による制御の下、第３の搬送路２３を駆動するものである。
【００４４】
この実施形態のＡＴＭ１は、複数個の搬送路を有しており、複数の搬送路はそれぞれ独立した搬送駆動部により駆動される。
【００４５】
そのため、複数の搬送路のいずれかにおいて搬送ジャムが生じた場合には、搬送ジャムが生じた搬送路の動作を一時的に停止し、必要に応じて、搬送ジャムが生じていない搬送路を動作させて、搬送路上に残留している媒体（後続媒体を含むもの）を除去しやすい位置に退避（移動）させたり、集積先を切り替えて搬送させたりすることができる。
【００４６】
特に、第２の搬送路２２や、第３の搬送路２３において、搬送ジャムの発生頻度が高い。
【００４７】
そのため、例えば、第２の搬送路２２で搬送ジャムが発生した場合、第２の搬送路２２の動作を停止させ、第３の搬送路２３の動作を起動し続けて、搬送路に残留している媒体を搬送したり、集積先を切り替えたりする。
【００４８】
また逆に、例えば、第３の搬送路２３で搬送ジャムが発生した場合、第３の搬送路２３の動作を停止させ、第２の搬送路２２の動作を起動し続けて、搬送路に残留している媒体を搬送したり、集積先を切り替えたりする。
【００４９】
センサ群５４は、第２の搬送路２２上に配置されている複数の紙幣検知センサである。センサ群５４は、第２の搬送路２２上に設けられており、搬送ジャムの発生の有無を検知し、その検知信号を制御部１０に通知する。
【００５０】
センサ群５５は、第３の搬送路２３上に配置されている複数の紙幣検知センサである。センサ群５５は、第３の搬送路２３上に設けられており、搬送ジャムの発生の有無を検知し、その検知信号を制御部１０に通知する。
【００５１】
認識部１４は、図１及び図２に示す認識部１４であり、第３の搬送路２３上に配置されている。認識部１４は、双方向に動作する第３の搬送路２３上を通過する紙幣枚数の計数や、紙幣の真偽、汚損の有無等の判定結果を制御部１０に通知する。
【００５２】
（Ａ−２）第１の実施形態の動作
次に、第１の実施形態に係るＡＴＭ１における搬送処理の動作を、図面を参照しながら詳細に説明する。
【００５３】
まず、入金時に入出金部１１に挿入された紙幣の搬送動作、及び、出金時に紙幣カセット３１−１〜３１−４から繰り出された紙幣の搬送動作を、簡単に説明する。
【００５４】
入金時に、入出金部１１に紙幣が挿入されると、紙幣は入出金部１１により１枚ずつ分離されて、１枚ずつの紙幣が入金用搬送路２１−２により搬送される。
【００５５】
このとき、搬送切替部１５−１及び１５−２は、入金用搬送路２１−２と第３の搬送路２３との間を搬送できるように切り替えられている。そのため、入金用搬送路２１−２からの紙幣は、第３の搬送路２３に搬送される。
【００５６】
紙幣は、第３の搬送路２３上に設けられた認識部１４を通過する。認識部１４が、通過する紙幣の枚数を計数すると共に、紙幣の金種や真偽や汚損等を判定し、その判定結果を制御部１０に通知する。
【００５７】
認識部１４を通過した紙幣は、一時保留部１２に向けて搬送され、入金紙幣は一時的に保留される。なお、このとき搬送切替部１５−４は、第３の搬送路２３と一時保留部１２との間を搬送できるように切り替えられている。
【００５８】
その後、搬送切替部１５−４は、一時保留部１２と第２の搬送路２２との間を搬送できるように切り替えられる。一時保留部１２に保留されている紙幣は、一時保留部１２により１枚ずつ分離され、認識部１４の判定結果に基づいて、判定された金種の紙幣カセット３１−１〜３１−４に向けて搬送されて、各紙幣カセット３１−１〜３１-４に集積される。
【００５９】
なお、認識部１４によりリジェクト判定されると、逐次、搬送切替部１５−４は第２の搬送路２２に切り替え、リジェクト判定された紙幣は、一時的に第２の搬送路２２上に保留される。その後、入金完了又は第２の搬送路２２上の紙幣（リジェクト紙幣）の枚数が閾値に達すると（すなわち、第２の搬送路２２上のリジェクト枚数がフル状態となると）、第２の搬送路２２上のリジェクト紙幣は入出金部１１に戻される。
【００６０】
次に、出金時に、搬送切替部１５−４は、第２の搬送路２２と第３の搬送路２３との間を搬送できるように切り替えられる。出金される紙幣の金種に従って、各紙幣カセット３１−１〜３１−４から紙幣が１枚ずつ繰り出され、紙幣は、第２の搬送路２２を経由して第３の搬送路２３に搬送される。
【００６１】
紙幣は、第３の搬送路２３上に設けられた認識部１４を通過する。認識部１４が、通過する紙幣の枚数を計数し、その判定結果を制御部１０に通知する。
【００６２】
認識部１４を通過した紙幣は、第３の搬送路２３から出金用搬送路２１−１に搬送され、入出金部１１に集積される。このとき、搬送切替部１５−１及び１５−２は、第３の搬送路２３と出金用搬送路２１−１との間を搬送できるように切り替えられている。
【００６３】
次に、入金に係る紙幣が一時保留部１２に一時的に保留された後に、一時保留部１２により分離された紙幣の搬送動作を、図面を参照しながら詳細に説明する。
【００６４】
図４は、第１の実施形態に係る第２の搬送路２２上で搬送ジャムが発生した場合の搬送処理の動作を示すフローチャートである。
【００６５】
図５は、第１の実施形態に係る第２の搬送路２２上で搬送ジャムが発生した場合の搬送動作を説明する説明図である。
【００６６】
一時的に保留されている紙幣が一時保留部１２により分離され、第２の搬送路２２に搬送される場合に、第２の搬送路２２上のセンサ群５４が搬送ジャムの発生を検知する（Ｓ１０１）。
【００６７】
そうすると、搬送制御部１０２は、一時保留部１２の動作を一時的に停止させる（Ｓ１０２）。これは、ジャム発生後、後続媒体を分離して搬送してしまうと、紙詰まりの程度が大きくなることを回避するためである。また、ジャム要因の媒体の前の媒体であって、集積先が紙幣カセット３１−１〜３１−４である媒体は、紙幣カセット３１−１〜３１−４に集積されて、搬送路から除去される。
【００６８】
搬送制御部１０２は、ジャム要因の紙幣に後続する後続媒体の集積先が、入金専用紙幣カセット３２、リジェクト部３３で集積可能か否かを判定する（Ｓ１０３）。
【００６９】
ここで、搬送制御部１０２の判定方法を説明する。
【００７０】
搬送制御部１０２は、認識部１４からの判定情報に基づいて、ジャム要因の媒体に後続する後続媒体の枚数や、第２の搬送路２２上のセンサ群５４による媒体位置検知情報等に基づいて、後続媒体の集積先を変更できるか否かを判定する。
【００７１】
まず、搬送制御部１０２は、認識部１４により計数された計数パターンにおいて、後続媒体の集積先が、紙幣カセット３１−１〜３１−４に指定されているか否かを判定する。ここで、認識部１４が、出金等に使用できないよう紙幣（例えば、正常紙幣であるが、汚損等により、リサイクル不可と判断した紙幣等）は、入金専用カセット３２やリジェクト部３３に搬送される。この場合、当該紙幣の集積先は、入金専用カセット３２やリジェクト部３３となる。
【００７２】
そして、後続媒体の集積先が紙幣カセット３１−１〜３１−４に指定されている場合、搬送制御部１０２は、下記の条件に基づいて後続判定を行う。
【００７３】
条件１：後続媒体の集積先が設定上、紙幣カセット３１−１〜３１-４以外の入金専用紙幣カセット３２、リジェクト部３３に変更可能。
【００７４】
条件２：ジャム要因の媒体の後続媒体が、第３の搬送路２３側に存在する。
【００７５】
条件３：搬送切替部（ブレード）１５−４の切り替えが間に合う位置に後続媒体が存在する。
【００７６】
条件１について、搬送制御部１０２は、入金専用紙幣カセット３２、リジェクト部３３の集積量が閾値未満となっており、今回の後続媒体を集積できる状況であるか否かを確認する。なお、入金専用紙幣カセット３２と、リジェクト部３３との間で優先度を設定しておき、後続媒体の集積変更先の第１の候補として、入金専用紙幣カセット３２と、入金専用紙幣カセット３２の集積状況から集積変更できない場合に、次の候補としてリジェクト部３３の集積状況を確認するようにしてもよい。
【００７７】
条件２については、後続媒体が、一時保留部１２に搬送される前の状態であり、第３の搬送路２３上に残留しているか否かを確認する。この場合、搬送制御部１０２は、認識部１４やセンサ群５５等からの検知情報に基づいて確認できる。
【００７８】
条件３については、搬送切替部１５−４の位置に、後続媒体が残留している場合には、搬送切替部１５−４の切り替えができない。そこで、搬送切替部１５−４の切り替えが可能であるかを確認する。
【００７９】
上記条件１〜条件３のすべてを満たす場合には、搬送制御部１０２は、後続媒体の集積先を、入金専用紙幣カセット３２、リジェクト部３３に変換して、後続媒体を、入金専用紙幣カセット３２、リジェクト部３３に集積する。
【００８０】
一方、上記条件１〜条件３のすべてを満たさない場合、認識部１４は、後続媒体の集積先の変更を行なわない。
【００８１】
搬送制御部１０２は、第２の搬送路２２を停止し（Ｓ１０４）、搬送切替部１５−４を第３の搬送路２３側に切り替え（Ｓ１０５）、第３の搬送路２３の動作を開始する（Ｓ１０６）。
【００８２】
この動作により、一時保留部１２が停止しているため、一時保留部１２から搬送切替部１５−４に向けて搬送されていた後続媒体や、一時保留部１２に向けて搬送されるまでに第３の搬送路２３上に残留していた後続媒体が、入金専用紙幣カセット３２、リジェクト部３３に向けて搬送され、後続媒体の集積が完了する（Ｓ１０７）。
【００８３】
Ｓ１０３において、後続媒体の集積先が、入金専用紙幣カセット３２、リジェクト部３３で集積可能でない場合、搬送制御部１０２は、第２の搬送路２２を停止し（Ｓ１０８）、Ｓ１０９に進む。
【００８４】
Ｓ１０９では、後続媒体の集積完了後、搬送制御部１０２が、第２の搬送路２２の自動復旧の設定がなされているか否かを判定する。この自動復旧処理は、既存の処理を適用できる。例えば、自動復旧処理の一例は、搬送路の駆動方向を一方向又は他方向に切り替えながら、媒体を少しずつ移動させて、搬送ジャム（例えば紙詰まり等）を解消して、媒体をリジェクト部３３に取り込む等の動作を適用できる。
【００８５】
そして、自動復旧が有効である場合（Ｓ１０９）、搬送制御部１０２は自動復旧処理を行ない（Ｓ１１０）、処理を終了する。自動復旧が無効である場合、搬送制御部１０２は、ジャム情報の表示画面を表示部（例えば、ＡＴＭ１が備える操作パネル等の表示部）に表示したり、行員に対して発生したジャムの除去を誘導する画面を表示部に表示したりして（Ｓ１１１）、処理を終了する。
【００８６】
なお、搬送路に残留した媒体を除去したのち、ＡＴＭ１のイニシャル動作によりＡＴＭ１の搬送ジャムを復旧する。
【００８７】
また、入金金額が確定され、取引を終了させることができる。
【００８８】
図６は、第１の実施形態に係る第３の搬送路２３上で搬送ジャムが発生した場合の搬送処理の動作を示すフローチャートである。
【００８９】
図７は、第１の実施形態に係る第３の搬送路２３上で搬送ジャムが発生した場合の搬送動作を説明する説明図である。
【００９０】
一時的に保留されている紙幣が一時保留部１２により分離され、第３の搬送路２３に向けて媒体が搬送される場合に、第３の搬送路２３上のセンサ群５５が搬送ジャムの発生を検知する（Ｓ２０１）。
【００９１】
そうすると、搬送制御部１０２は、一時保留部１２動作を一時的に停止させる（Ｓ２０２）。これは、ジャム発生後、後続媒体を分離して第３の搬送路２３に搬送してしまうと、紙詰まりの程度が大きくなることを回避するためである。
【００９２】
このとき、搬送制御部１０２は、第２の搬送路２２の動作を維持させたまま、第３の搬送路２３を停止する（Ｓ２０３）。
【００９３】
ここで、第３の搬送路２３を停止するため、ジャム要因の媒体は第３の搬送路２３上に待機させる。
【００９４】
また、ジャム発生後、第２の搬送路２２の動作を維持し、第２の搬送路２２の動作を逆方向に駆動させ（Ｓ２０４）、第２の搬送路２２上の各搬送切替部１５−８〜１５−４の位置まで後続媒体を搬送させて（Ｓ２０５）、第２の搬送路２２を停止する（Ｓ２０６）。
【００９５】
ここで、より具体的に説明する。例えば、出金処理の場合、第２の搬送路２２から第３の搬送路２３に紙幣が搬送される。その後、搬送制御部１０２は、第２の搬送路２２の動作を逆方向に駆動させ（Ｓ２０４）、後続媒体を各紙幣カセット３１−１〜３１−４に集積させる。このとき、後続接続位置に後続媒体を搬送して待機させる（Ｓ２０５）。第２の搬送路２２を停止する（Ｓ２０６）。
【００９６】
ここで、「搬送接続位置」とは、各紙幣カセット３１−１〜３１−４に集積させる後続媒体を一時的に待機させる位置をいう。搬送接続位置は、紙幣カセット３１−１〜３１−４と第２の搬送路２２との間の接続位置をいう。各紙幣カセット３１−１〜３１−４の各搬送切替部１５−８〜１５−５の位置（搬送接続位置）に後続媒体を待機させることで行員による後続媒体の除去が容易となる。
【００９７】
第２の搬送路２２上の媒体搬送が完了すると、認識部１４の計数を中断する。
【００９８】
Ｓ２０７では、後続媒体の集積完了後、搬送制御部１０２が、第３の搬送路２３の自動復旧の設定がなされているか否かを判定する。
【００９９】
そして、自動復旧が有効である場合（Ｓ２０７）、搬送制御部１０２は自動復旧処理を行ない（Ｓ２０８）、処理を終了する。自動復旧が無効である場合、搬送制御部１０２は、ジャム情報の表示画面を表示部（例えば、ＡＴＭ１が備える操作パネル等の表示部）に表示したり、行員に対して発生したジャムの除去を誘導する画面を表示部に表示したりして（Ｓ２０９）、処理を終了する。
【０１００】
なお、搬送路に残留した媒体を除去したのち、ＡＴＭ１のイニシャル動作によりＡＴＭ１の搬送ジャムを復旧する。
【０１０１】
（Ａ−３）第１の実施形態の効果
以上のように、第１の実施形態によれば、従来では搬送路に残留していたジャム要因の媒体に後続する後続媒体を除去することが可能となる。また、第１の実施形態によれば、自動復旧が必ずしも有効でない場合に、行員が障害発生時の残留媒体を数える際に少ない枚数で済むため、数え間違いや媒体の紛失等の現地でのトラブルのリスクを減らすことが可能である。
【０１０２】
（Ｂ）第２の実施形態
次に、本発明に係る現金処理装置の第２の実施形態を、図面を参照しながら詳細に説明する。
【０１０３】
（Ｂ−１）第２の実施形態の構成及び動作
第２の実施形態のＡＴＭ１の搬送機構の構造及び搬送制御系の構成は、第１の実施形態の図１〜図３と同様であるため、ここでの詳細な説明は省略する。
【０１０４】
第２の実施形態では、第３の搬送路２３でジャムが発生した場合の搬送処理の動作を説明する。
【０１０５】
図８は、第２の実施形態に係る第３の搬送路２３上で搬送ジャムが発生した場合の搬送処理の動作を示すフローチャートである。
【０１０６】
図９は、第２の実施形態に係る第３の搬送路２３上で搬送ジャムが発生した場合の搬送動作を説明する説明図である。
【０１０７】
一時的に保留されている紙幣が一時保留部１２により分離され、第３の搬送路２３に向けてされる場合に、第３の搬送路２３上のセンサ群５５が搬送ジャムの発生を検知する（Ｓ２０１）。
【０１０８】
そうすると、搬送制御部１０２は、一時保留部１２動作を一時的に停止させる（Ｓ２０２）。搬送制御部１０２は、第２の搬送路２２の動作を維持させたまま、第３の搬送路２３を停止する（Ｓ２０３）。
【０１０９】
搬送制御部１０２は、第２の搬送路上に残留している後続媒体の集積先を、元の紙幣カセット３１−１〜３１−４のいずれかに変更し（Ｓ３０１）、第２の搬送路２２を動作させ（Ｓ３０２）、第２の搬送路２２上の後続媒体を、紙幣カセット３１−１〜３１−４のいずれかへの集積を完了する（Ｓ３０３）。
【０１１０】
これにより、第３の搬送路２３上のジャム要因の媒体を待機させたまま、第２の搬送路２２上の後続媒体を元の紙幣カセット３１−１〜３１−４に集積させることができる。なお、このとき、認識部１４の計数処理は中断しているため、認識部１４が認識している計数は保持したままとなっている。
【０１１１】
Ｓ２０７では、後続媒体の集積完了後、搬送制御部１０２が、第３の搬送路２３の自動復旧の設定がなされているか否かを判定する。
【０１１２】
そして、自動復旧が有効である場合（Ｓ２０７）、搬送制御部１０２は自動復旧処理を行ない（Ｓ２０８）、処理を終了する。自動復旧が無効である場合、搬送制御部１０２は、ジャム情報の表示画面を表示部（例えば、ＡＴＭ１が備える操作パネル等の表示部）に表示したり、行員に対して発生したジャムの除去を誘導する画面を表示部に表示したりして（Ｓ２０９）、処理を終了する。
【０１１３】
なお、搬送路に残留した媒体を除去したのち、ＡＴＭ１のイニシャル動作によりＡＴＭ１の搬送ジャムを復旧する。
【０１１４】
（Ｂ−２）第２の実施形態の効果
以上にように、第２の実施形態によれば、片側の搬送路上の媒体が除去されることにより、自動復旧時にもう片側の搬送路のみ媒体を除去すれば良いため、復旧時間の短縮と媒体同士の衝突を防止することができる。
【０１１５】
（Ｃ）他の実施形態
上述した各実施形態においても、種々の変形実施形態を言及したが、本発明は、以下の変形実施形態にも適用できる。
【０１１６】
（Ｃ−１）上述した各実施形態では、それぞれ独立して駆動する第２の搬送路及び第３の搬送路のいずれかで搬送ジャムが発生した場合の搬送処理を説明した。しかし、それぞれ独立する第１の搬送路〜第３の搬送路のうち、いずれかの搬送路で搬送ジャムが生じた場合にも適用できる。
【０１１７】
例えば、出金処理の場合に、第１の搬送路で搬送ジャムが発生した場合にも、第１の搬送路を停止し、第２及び第３の搬送路を動作させて、第２及び第３の搬送路上に残留する紙幣を、第２及び第３の搬送路上の搬送切替部の位置（搬送接続位置）に待機させたり、元の紙幣カセットに集積させたりしてもよい。この場合、認識部は、後続媒体の計数処理を有効にして、第２及び第３の搬送路上の後続媒体の枚数を計数するようにしてもよい。
【０１１８】
（Ｃ−２）また、上述した各実施形態は、いわゆるスイッチバック処理適用してもよい。スイッチバック処理とは、出金処理の際に、認識部が異常を検知した場合に、後続媒体を元の紙幣カセットに集積する処理である。
【０１１９】
以下では、スイッチバック処理に上述した第２の実施形態の搬送処理を適用するときの動作を説明する。
【０１２０】
上述した実施形態のように、認識部が第３の搬送路上に設けられている場合、認識部が異常を検知したとき、後続媒体は第２の搬送路上に残留し得る。
【０１２１】
この場合、上述した第２の実施形態と同様に、一時保留部を停止し、第３の搬送路を停止した後、搬送制御部が、後続媒体の集積先を元の紙幣カセットに変更し、第２の搬送路を動作させて、後続媒体を元の紙幣カセットに戻すようにしてもよい。
【０１２２】
そして、認識部により異常判定された紙幣を分離した後（例えば、異常判定された紙幣を、リジェクト部等に搬送した後）、再度、紙幣カセット部から繰り出した出金紙幣を、一時保留部を介して、入出金部に搬送するようにしてもよい。
【０１２３】
（Ｃ−３）上述した第１の実施形態では、紙幣カセット以外の集積部として、入金専用紙幣カセット、リジェクト部を備える場合を例示した。しかし、紙幣カセット以外の集積部として、入金専用紙幣カセット、リジェクト部のいずれかのみを備えるものとしてもよい。つまり、第３の搬送路は、入金専用紙幣カセット、リジェクト部のいずれかのみに搬送できるものであってもよい。また、複数の入金専用紙幣カセットを備え、第３の搬送路が、複数の入金専用紙幣カセットのいずれかに後続媒体を搬送するようにしてもよい。
【符号の説明】
【０１２４】
１…ＡＴＭ、１１…入出金部、１２…一時保留部、１３…偽券庫、１４…認識部、２１…第１の搬送路、２２…第２の搬送路、２３…第３の搬送路、１５−１〜１５−８…搬送切替部、３０…集積部、３１−１〜３１−４…紙幣カセット、３２…入金専用紙幣カセット、３３…リジェクト部、１０…制御部、１０１…取引処理部、１０２…搬送制御部、５１…第１の搬送駆動部、５２…第２の搬送駆動部、５３…第３の搬送駆動部、５４及び５５…センサ群。
【図１】
0006690302.tif 000002
【図２】
0006690302.tif 000003
【図３】
0006690302.tif 000004
【図４】
0006690302.tif 000005
【図５】
0006690302.tif 000006
【図６】
0006690302.tif 000007
【図７】
0006690302.tif 000008
【図８】
0006690302.tif 000009
【図９】
0006690302.tif 000010